(57)【要約】【課題】通話機能を妨げない範囲で、搭載されたラジオ機能を通話時の補助機能として利用可能なコードレス電話装置を提供することを目的とする。【解決手段】回線を通じて音声信号等の送受信を行うと共に、子機３と双方向に無線通信を行うための無線通信部５を備えた親機２と、親機２と双方向に無線通信を行うための無線通信部５を備えた子機３と、で構成されたコードレス電話装置１であって、親機２あるいは子機３の内の少なくとも一方にラジオ放送を受信するためのラジオ機能部１４を備え、ラジオ放送をコードレス電話装置１用の報知音や効果音として用いる構成とした。【選択図】　図１
2004096386.tif 000002
【特許請求の範囲】
【請求項１】
回線を通じて音声信号等の送受信を行うと共に、子機と双方向に無線通信を行うための無線通信部を備えた親機と、
親機と双方向に無線通信を行うための無線通信部を備えた子機と、で構成されたコードレス電話装置であって、
親機あるいは子機の内の少なくとも一方にラジオ放送を受信するためのラジオ機能部を備え、ラジオ放送をコードレス電話装置用の報知音や効果音として用いることを特徴とするコードレス電話装置。
【請求項２】
コードレス電話装置用の報知音としてラジオ放送を着信音に用い、ラジオ機能部がオフの場合には、回線から着信するとラジオ機能部をオンに切り替え、予め設定されたチャンネルのラジオ放送を音声出力することを特徴とする請求項１記載のコードレス電話装置。
【請求項３】
コードレス電話装置用の報知音としてラジオ放送を着信音に用い、ラジオ機能部が既にオンの場合には、回線から着信すると音声出力中のラジオ放送の音量を上げることを特徴とする請求項１記載のコードレス電話装置。
【請求項４】
コードレス電話装置用の効果音としてラジオ放送を保留音に用い、通話状態から保留状態に移行した場合には、予め設定されたチャンネルのラジオ放送を保留音として送出することを特徴とする請求項１，２，３の内のいずれか１記載のコードレス電話装置。
【請求項５】
コードレス電話装置用の効果音としてラジオ放送を通話中のＢＧＭに用いることを特徴とする請求項１，２，３，４の内のいずれか１記載のコードレス電話装置。
【請求項６】
親機あるいは子機の内のどちらか一方にしかラジオ機能部が搭載されていなければ、ラジオ機能部が搭載されていない側からの無線による遠隔操作で被遠隔操作側のラジオ機能部を作動させ、被遠隔操作側のラジオ機能部が受信したラジオ放送を遠隔操作側に無線で転送することを特徴とする請求項１，２，３，４，５の内のいずれか１記載のコードレス電話装置。
【発明の詳細な説明】
【０００１】
【発明の属する技術分野】
本発明は、ラジオ機能を搭載したコードレス電話装置に関するものである。
【０００２】
【従来の技術】
従来のラジオ機能を搭載したコードレス電話装置は、コードレス電話装置の親機あるいは子機の内の少なくとも一方にラジオ機能を併設したものであり、電話機能とラジオ機能とを必要に応じて切り替えて使用する構成となっていた。
【０００３】
【発明が解決しようとする課題】
しかしながら、以上のような従来のコードレス電話装置の親機や子機では、前述したように、親機あるいは子機に搭載されたラジオ機能を、本来の機能である通話機能を封印してしまう排反機能としてしか利用できないという制約がある。そのため、通話中にはラジオ機能を全く利用できないという課題を有していた。
【０００４】
本発明は以上の課題を解決し、通話機能を妨げない範囲で、搭載されたラジオ機能を通話時の補助機能として利用可能なコードレス電話装置を提供することを目的とする。
【０００５】
【課題を解決するための手段】
この課題を解決するために本発明のコードレス電話装置は、回線を通じて音声信号等の送受信を行うと共に、子機と双方向に無線通信を行うための無線通信部を備えた親機と、
親機と双方向に無線通信を行うための無線通信部を備えた子機と、で構成されたコードレス電話装置であって、
親機あるいは子機の内の少なくとも一方にラジオ放送を受信するためのラジオ機能部を備え、ラジオ放送をコードレス電話装置用の報知音や効果音として用いる構成としたものである。
【０００６】
この発明によれば、通話機能を妨げない範囲で、搭載されたラジオ機能を通話時の補助機能として利用可能なコードレス電話装置を提供することができる。
【０００７】
【発明の実施の形態】
本発明の請求項１に記載の発明は、回線を通じて音声信号等の送受信を行うと共に、子機と双方向に無線通信を行うための無線通信部を備えた親機と、
親機と双方向に無線通信を行うための無線通信部を備えた子機と、で構成されたコードレス電話装置であって、
親機あるいは子機の内の少なくとも一方にラジオ放送を受信するためのラジオ機能部を備え、ラジオ放送をコードレス電話装置用の報知音や効果音として用いる構成としたものであり、
ＦＭ放送等のラジオ放送を千変万化の着信メロディーや保留音等として利用できるという作用を有する。
【０００８】
本発明の請求項２に記載の発明は、請求項１記載の発明において、コードレス電話装置用の報知音としてラジオ放送を着信音に用い、ラジオ機能部がオフの場合には、回線から着信するとラジオ機能部をオンに切り替え、予め設定されたチャンネルのラジオ放送を音声出力する構成としたものであり、
ラジオ機能部がオフの場合でも、ラジオ放送を着信メロディーとして利用できるという作用を有する。
【０００９】
本発明の請求項３に記載の発明は、請求項１記載の発明において、コードレス電話装置用の報知音としてラジオ放送を着信音に用い、ラジオ機能部が既にオンの場合には、回線から着信すると音声出力中のラジオ放送の音量を上げる構成としたものであり、
ラジオ機能部がオンの場合でも、ラジオ放送を中断することなく着信を報知できるという作用を有する。
【００１０】
本発明の請求項４に記載の発明は、請求項１，２，３の内のいずれか１記載の発明において、コードレス電話装置用の効果音としてラジオ放送を保留音に用い、通話状態から保留状態に移行した場合には、予め設定されたチャンネルのラジオ放送を保留音として送出する構成としたものであり、
保留時にＦＭ等のラジオ放送が流れるので、保留状態が長引いても保留を掛けられた側を苛立たせないという作用を有する。
【００１１】
本発明の請求項５に記載の発明は、請求項１，２，３，４の内のいずれか１記載の発明において、コードレス電話装置用の効果音としてラジオ放送を通話中のＢＧＭに用いる構成としたものであり、
ＢＧＭがクラシック音楽等であれば、曲によっては通話時の緊張感を解き解（ほぐ）し寛（くつろ）いだ状態で通話できるという作用を有する。
【００１２】
本発明の請求項６に記載の発明は、請求項１，２，３，４，５の内のいずれか１記載の発明において、親機あるいは子機の内のどちらか一方にしかラジオ機能部が搭載されていなければ、ラジオ機能部が搭載されていない側からの無線による遠隔操作で被遠隔操作側のラジオ機能部を作動させ、被遠隔操作側のラジオ機能部が受信したラジオ放送を遠隔操作側に無線で転送する構成としたものであり、
ラジオ機能部が搭載されていない側でもラジオ機能を利用できるという作用を有する。
【００１３】
以下、本発明の実施の形態について説明する。
【００１４】
（実施の形態１）
本発明の一実施の形態の大要は、ラジオ機能を搭載したコードレス電話装置の親機や子機においては、ＦＭ放送等のラジオ放送を通話機能の報知音や効果音として使用することで、ラジオ放送を着信メロディー代わり等に使用できるように工夫したことである。
【００１５】
また、親機や子機の内のどちらかがラジオ機能を搭載していなければ、搭載していない側から搭載している側のラジオ機能を遠隔操作して、ラジオ機能を搭載している側で受信したラジオ放送を親機・子機間の通信の一形態として他方に転送できるように工夫したことである。
【００１６】
以下、本発明の一実施の形態の詳細を図１〜図９を参照しながら説明する。
【００１７】
図１は本発明の一実施の形態によるコードレス電話装置の親機の構成を示すブロック図である。図２〜図６は本発明の一実施の形態によるコードレス電話装置の親機のラジオ機能設定部の設定方法を示す模式図である。図７〜図８は本発明の一実施の形態によるコードレス電話装置の子機の構成を示すブロック図である。図９は本発明の一実施の形態によるコードレス電話装置の子機のラジオ機能設定部の設定方法を示す模式図である。
【００１８】
図１において、コードレス電話装置１は、回線に接続された親機２と、親機２を基地局とする限定された移動通信機能を有する子機３とで構成されており、親機２と子機３とは一定の距離内（１００〜１５０ｍ）で双方向に無線通信可能である。
【００１９】
親機２は制御部４の制御の下に電話の相手側と音声信号の送受信を行う。親機２は自己に登録済みの子機３に対しては、無線送信部や無線受信部からなる無線通信部５を通じて子機３側と双方向に無線通信可能である。制御部４はＣＰＵやＲＡＭやＲＯＭ等で構成されており、親機２の制御全般を担っている。この親機２にはコードで接続された受話器６が備わっているので、受話器６を取り上げてオフフックすると子機３との無線通話（内線通話）や回線を通じての外部との通話（外線通話）が可能である。また、親機２にはスピーカーホン通話部７も備わっているので、スピーカーホン通話部７のスイッチを押すと手放しでの通話を行うこともできる。この親機２には留守番電話部８が備わっているので、回線からベルが入来しても親機２側や子機３側で共にオフフックしない場合には、留守番電話部８が作動して入来したメッセージの録音ができるようになっている。この際には、ベルが所定回数（例えば６回）鳴動してもオフフックされないと、制御部４は切り替えスイッチ９を通話回路部１０から留守番電話部８側に切り替えるようになっている。電話をする場合は操作部１１を操作してダイヤルするのであるが、その際はＬＣＤ等で構成された表示部１２にダイヤルした電話番号を表示して確認することができるようになっている。あるいは、電話を掛ける相手が電子電話帳１３に登録済みであれば、電子電話帳１３で電話を掛ける相手の名前を検索し、目的の電話番号や名前を表示部１２に表示した後にオフフック操作をすれば電話を掛けることができる。
【００２０】
さて、この親機２にはラジオ機能部１４が搭載されているので、利用者は必要に応じてチューナーを操作して選局すればＦＭ放送等のラジオ放送を聴くことができる。ラジオ機能部１４が受信したラジオ放送はスピーカー７ａから音声出力される。ラジオ機能部１４のチューナーは被遠隔操作を可能とするためにデジタル方式の方が好ましいものの、被遠隔操作を前提としない場合はアナログ方式でも差し支えない。また、親機２のラジオ機能部１４が受信したラジオ放送は、親機２の報知音や効果音として使用可能であるし、後述するように子機側にラジオ放送を転送すれば、子機側にラジオ機能部が搭載されていなくても子機側でラジオ放送を聴くことができる。無論、親機２から転送されたラジオ放送は、子機側での報知音や効果音としても利用することができる。
【００２１】
親機２のラジオ機能部１４が受信したラジオ放送を親機２の報知音や効果音として使用するには、予め操作部１１を操作してラジオ機能設定部１５の設定を「報知音使用」や「効果音使用」に設定しておかなければならない。図２に示すように、ラジオ機能設定部１５の設定を「報知音使用」に設定しておけば、着信音としてラジオ放送を使用することができるし、ラジオ機能設定部１５の設定を「効果音使用」に設定しておけば、保留時の保留音や通話中のＢＧＭにラジオ放送を使用することができる。
【００２２】
ラジオ機能設定部１５の設定が「報知音使用」であれば、ラジオ機能部１４がオフの時に回線から着信すると、図３に示すように、制御部４は本来の着信音であるベルの鳴動（ベルの代わりに着信メロディーを使用しているならば着信メロディー）に代えて、ラジオ機能部１４をオフからオンに切り替えて予め設定済みのチャンネルのラジオ放送をスピーカー７ａから音声出力する。回線からの着信前にラジオ放送を聴いている場合、即ちラジオ機能部１４が既にオンの時に回線から着信すると、図４に示すように、制御部４はスピーカー７ａから音声出力中のラジオ放送の音量を上げて着信したことを報知する。ラジオ放送の音量を急激に変化させても聴くこと自体を妨げるものではないので、ラジオ放送を中断しないためにラジオ放送の音量を上げることで着信を報知するのである。
【００２３】
ラジオ機能設定部１５の設定が「効果音使用」であれば、図５に示すように、通話中に保留ボタンを押して通話状態から保留状態に移行すると、本来の保留音の代わりに予め設定されたチャンネルのラジオ放送が通話回路部１０を介して保留音として送出される。従来は保留状態が長引いても同じ保留音を繰り返し流すだけであったので、保留を掛けられた側にとっては保留状態が長引くのは少々苦痛を伴っていた。しかし、ラジオ放送が保留音として流れるのであれば、保留を掛けられた側にとっても同じ内容を繰り返し聴かされる苦痛から開放されるので、保留状態が長引いても今までよりは我慢できるようになる。また、ラジオ機能設定部１５の設定が「効果音使用」であれば、発呼した場合や着呼した場合を問わず、図６に示すように、通話中にＢＧＭボタンを押すと予め設定されたチャンネルのラジオ放送が通話時のＢＧＭとして通話回路部１０を介して回線に送出される。この際には、利用者側の受話器６の受話部からも同じラジオ放送がＢＧＭとして流れる。ラジオ放送を通話時のＢＧＭとして使用する際に、ＢＧＭボタンを押下しなければＢＧＭとして使用できないようにした理由は、通話の相手次第で利用者が個別にＢＧＭの使用・不使用を決定できた方が便利だからである。あるいは逆に、通話時にはＢＧＭが流れるようにしておいて、通話の相手次第でＢＧＭボタンを押下することでＢＧＭを停止するようにしても良い。ＢＧＭに使用するラジオ放送がクラシック音楽等であれば、曲によっては通話時の緊張感を解き解（ほぐ）して寛（くつろ）いだ状態で通話することもできる。
【００２４】
なお、ラジオ機能設定部１５の設定は、「報知音使用＋効果音使用」にも設定できるので、「報知音使用＋効果音使用」に設定しておけば着信音や保留音や通話時のＢＧＭにもラジオ放送を使用することができる。
【００２５】
図７において、子機３は制御部１６の制御の下に無線送信部や無線受信部からなる無線通信部１７を通じて親機２側と双方向に無線通信可能である。制御部１６はＣＰＵやＲＡＭやＲＯＭ等で構成されており、子機３の制御全般を担っている。この子機３には通話部１８が備わっているので、親機２との内線通話や親機２を介しての外線通話が可能である。電話をする場合は操作部１９を操作してダイヤルするのであるが、その際はＬＣＤ等で構成された表示部２０にダイヤルした電話番号を表示して確認することができるようになっている。電子電話帳２１も備わっているので、電話を掛ける相手が電子電話帳２１に登録済みであれば、電子電話帳２１で検索して電話をすることもできる。
【００２６】
図７に示す子機３もラジオ機能部１４やラジオ機能設定部１５を搭載しているので、親機２の場合と同様にしてラジオ放送を聴いたりラジオ放送を報知音や効果音として使用することができる。子機３の場合も親機２の場合の説明と全く同様であるので重複説明は省略するが、概要だけを述べると、ラジオ機能設定部１５の設定が「報知音使用」であれば、ラジオ放送を着信音としてスピーカー２２から音声出力することができるし、ラジオ機能設定部１５の設定が「効果音使用」であればラジオ放送を保留音や通話時のＢＧＭとして送出することができる。ラジオ放送を通話時のＢＧＭとして使用する際には、通話部１８にラジオ放送が入力され無線通信部１７から親機２に送信されてＢＧＭや保留音として回線に送出されると共に、通話部１８の受話部からも同じラジオ放送がＢＧＭとして流れる。ラジオ機能設定部１５の設定が「報知音使用＋効果音使用」であれば、着信音や保留音や通話時のＢＧＭにもラジオ放送を使用することができる。
【００２７】
さて、コードレス電話装置１の親機２と子機３の双方にラジオ機能部１４が搭載されていれば、親機２や子機３それぞれにおいてラジオ放送を報知音や効果音として使用できるのは既に述べた通りである。しかしながら、現実の問題としては、親機２や子機３の双方にラジオ機能部１４を搭載するとなるとコードレス電話装置１の製造原価を引上げる要因となる。そこで、親機２あるいは子機３のどちらかのみにラジオ機能部１４を搭載し、ラジオ機能部１４を搭載していない側はラジオ機能部１４を搭載している側からラジオ放送を無線で転送してもらい、ラジオ放送を報知音や効果音に使用できるようにすればコードレス電話装置１の製造原価を引き下げることができる。
【００２８】
以下、ラジオ機能部１４を搭載した親機をラジオ機能部１４を未搭載の子機から遠隔操作し、親機から子機へラジオ放送を転送させて子機側でラジオ放送を報知音や効果音として使用する方法を説明する。なお、ラジオ機能部１４の搭載が逆の場合は、親機と子機とを入れ替えて考えれば良いので、この場合の説明は省略する。
【００２９】
図８に示すように、子機２３にはラジオ機能部１４が搭載されていないので、図７に示す子機３の場合と異なり、子機２３単独ではラジオ放送を聴くことは勿論、報知音や効果音としてもラジオ放送を使用することはできない。しかしながら、図１に示す親機２にはラジオ機能部１４が搭載されているので、子機２３側から親機２を無線で遠隔操作すれば、被遠隔操作側の親機２のラジオ機能部１４を利用することで子機２３側でもラジオ放送を聴取したり、報知音や効果音に使用することができる。遠隔操作をする際には、遠隔操作側である子機２３の無線通信部１７がリモコン送信部となり、被遠隔操作側である親機２の無線通信部５がリモコン受信部となる。
【００３０】
図８において、子機２３は制御部１６の制御の下に無線送信部や無線受信部からなる無線通信部１７を通じて親機２側と双方向に無線通信可能である。制御部１６はＣＰＵやＲＡＭやＲＯＭ等で構成されており、子機２３の制御全般を担っている。この子機２３には通話部１８が備わっているので、親機２との内線通話や親機２を介しての外線通話が可能である。電話をする場合は操作部２４を操作してダイヤルするのであるが、その際はＬＣＤ等で構成された表示部２０にダイヤルした電話番号を表示して確認することができるようになっている。電子電話帳２１も備わっているので、電話を掛ける相手が電子電話帳２１に登録済みであれば、電子電話帳２１で検索して電話をすることもできる。
【００３１】
図８に示す子機２３の操作部２４には、親機２のラジオ機能部１４を遠隔操作するための遠隔操作機能が追加されている点が、図７に示す子機３の操作部１９と異なっている。図９に示すように、子機２３のラジオ機能設定部１５の設定を図７において説明したように設定した後に、操作部２４を操作して「ラジオ使用」ボタンを押下すると、制御部１６は遠隔操作データを作成して無線通信部１７から親機２へ送信する。この遠隔操作データが親機２側の無線通信部５で受信されると、制御部４は子機２３のラジオ機能設定部１５での設定通りに親機２のラジオ機能設定部１５を設定する。そして、制御部４は親機２のラジオ機能部１４を親機２のためではなく子機２３のために使用する。即ち、親機２のラジオ機能設定部１５の設定が「報知音使用」であれば、回線から着信すると、親機２はラジオ放送を着信音として無線通信部５を介して子機２３側に転送するし、設定が「効果音使用」であれば、親機２はラジオ放送を保留音や通話時のＢＧＭとして通話回路部１０、無線通信部５を介して子機２３に転送する。同様にして、設定が「報知音使用＋効果音使用」であれば、ラジオ放送を着信音や保留音や通話時のＢＧＭとして子機２３に転送する。親機２が受信した遠隔操作データが単に「ラジオ機能部オン」であれば、親機２は受信したラジオ放送を無線通信部５を介して子機２３へ転送する。
【００３２】
繰り返して説明すると、子機２３側からラジオ使用に関する遠隔操作データを受信すると、親機２側では受信した遠隔操作データに基づき自己のラジオ機能設定部１５の設定を行い、自己のラジオ機能部１４を子機２３のために使用するために、受信したラジオ放送を子機２３の指示に従い子機２３側へ転送する。子機２３側で通話中には、「音声データ＋ラジオ放送データ」が親機２側から子機２３側へ送信されることになる。このため、子機２３側からは、あたかも自己にラジオ機能部１４が搭載されているように見える。
【００３３】
以上に述べたように、本発明では親機あるいは子機にラジオ機能部を搭載して、受信したラジオ放送を着信音や保留音や通話時のＢＧＭとして使用できるようにした。また、子機にラジオ機能部が未搭載であれば、子機側から親機側を遠隔操作して親機が搭載するラジオ機能部を借用できるようにしたので、必ずしも子機にラジオ機能部を搭載する必要はない。
【００３４】
【発明の効果】
以上のように本発明のコードレス電話装置によれば、回線を通じて音声信号等の送受信を行うと共に、子機と双方向に無線通信を行うための無線通信部を備えた親機と、親機と双方向に無線通信を行うための無線通信部を備えた子機と、で構成されたコードレス電話装置であって、親機あるいは子機の内の少なくとも一方にラジオ放送を受信するためのラジオ機能部を備え、ラジオ放送をコードレス電話装置用の報知音や効果音として用いる構成としたものである。
【００３５】
このことにより、ラジオ放送を千変万化の着信メロディーや保留音や通話時のＢＧＭとして使用することができるという効果がある。
【図面の簡単な説明】
【図１】本発明の一実施の形態によるコードレス電話装置の親機の構成を示すブロック図
【図２】本発明の一実施の形態によるコードレス電話装置の親機のラジオ機能設定部の設定方法を示す模式図
【図３】本発明の一実施の形態によるコードレス電話装置の親機のラジオ機能設定部の設定方法を示す模式図
【図４】本発明の一実施の形態によるコードレス電話装置の親機のラジオ機能設定部の設定方法を示す模式図
【図５】本発明の一実施の形態によるコードレス電話装置の親機のラジオ機能設定部の設定方法を示す模式図
【図６】本発明の一実施の形態によるコードレス電話装置の親機のラジオ機能設定部の設定方法を示す模式図
【図７】本発明の一実施の形態によるコードレス電話装置の子機の構成を示すブロック図
【図８】本発明の一実施の形態によるコードレス電話装置の子機の構成を示すブロック図
【図９】本発明の一実施の形態によるコードレス電話装置の子機のラジオ機能設定部の設定方法を示す模式図
【符号の説明】
１　コードレス電話装置
２　親機
３　子機
４　制御部
５　無線通信部
６　受話器
７　スピーカーホン通話部
７ａ　スピーカー
８　留守番電話部
９　切り替えスイッチ
１０　通話回路部
１１　操作部
１２　表示部
１３　電子電話帳
１４　ラジオ機能部
１５　ラジオ機能設定部
１６　制御部
１７　無線通信部
１８　通話部
１９　操作部
２０　表示部
２１　電子電話帳
２２　スピーカー
２３　子機
２４　操作部
【図１】
2004096386.tif 000003
【図２】
2004096386.tif 000004
【図３】
2004096386.tif 000005
【図４】
2004096386.tif 000006
【図５】
2004096386.tif 000007
【図６】
2004096386.tif 000008
【図７】
2004096386.tif 000009
【図８】
2004096386.tif 000010
【図９】
2004096386.tif 000011